(57)【要約】　　　（修正有）【課題】電池ぎれしない自動充電池を提供する。【解決手段】自動充電池１５は、薄いダイナモ２による発電と、ゼンマイ装置センサー２１とセンサー巻き取りモーターで、薄いダイナモ２は、連動歯車３に、よって発電する。なお、ソーラーパネルは補助電源として、急ぐ場合の、ソーラーパネルゼンマイ巻き取りモータースイッチともなる。これら、全体を、含めて自動充電池とする。【選択図】　　図１
2004135480.tif 000002
【特許請求の範囲】
【請求項１】
充電式電池（１０）は、薄いダイナモ（２）を、センサーモーター（６，２２付きゼンマイを（１）同方向センサー作動振り子（５）で、薄いダイナモ（２）を、補助作動させて、電気を、発生させ携帯電話機能電池として、使用される。暗闇でも、自動ゼンマイ巻き取り機能（１２，２３）が、働き補助電源装置としての小型ソーラーパネル（１２）は、自動ゼンマイ巻き取り機能（６，２３）の、働く自動充電池（１５）である。
【請求項２】
充電式電池（１０）と、自動充電式機能とは、別々に、取り外し可能（２０）な自動充電式電池（１５）である。
【請求項３】
自動ゼンマイ巻き取り機能モーター（６）は、薄いダイナモ（２）を、作動させるための動力です、そのためゼンマイ（１）が、ある一定の場所又は、ゼンマイ（１）が伸び切った状態に、なるとセンサー（２１）（２２）が、働きゼンマイ（１）を、自動に、巻き取るモーター（６）を、持った自動充電式電池（１５）である。
【請求項４】
自動充電式電池（１５）、振り子作用だけでも薄いダイナモ（２）を、回す事が出来て、発電出来る自動充電式電池（１５）である。
【発明の詳細な説明】
【０００１】
【発明の属する技術分野】
本発明は、振り子作用（５）に、よって薄いダイナモ（２）を、回して発電し、さらにセンサー（２１）を、備えたゼンマイ（１）で、薄いダイナモ（２）を、回して発電し、さらにゼンマイ（１）が伸び切るとセンサー（２２）が、働きモーター（６）で、ゼンマイ（２）を、巻き取り再びゼンマイ（１）を、作動させる事に、よって発電する。暗い所などでは、ソーラーパネルセンサー（１２）（２３）（９）に、よってゼンマイモーター（１）（６）は、片方の、自動ゼンマイ巻き取り機能センサー（２１）が、ゼンマイ（１）を、モーター（６）で、巻き取る。そのため小型充電池（１０）は、いつでもフル充電に、なっている。
【０００２】
【従来の技術】
自動車バッテリー又は、家庭用電気から、充電池の電気ぎれになると、充電しなければ、ならなかった。
【０００３】
【発明が、解決しようとする課題】
従来では、充電池の電気が切れると、通話不可能に、なる。そのため自動充電池では、薄いダイナモを、使用して、自動ゼンマイ巻き取り機能を、センサー反応に、よって駆動させ、補助電源に、ソーラーパネル使用している。尚ソーラーパネルは、自動ゼンマイ巻き取り予備センサーの役目と、予備電源充電不足では、振動作用の、振り子で、薄いダイナモを、回す。そのためいつでも、充電池は、フル充電されてる自動充電池である。
【０００４】
【課題を、解決するための手段】
上記目的を、達成するために振り子作用は、一方方向のみダイナモ回転を、片方向滑り軸を、使用している。そのため、振り子作用は、ダイナモを、同軸方向発電が、出来る。尚自動ゼンマイ巻き取り装置は、センサー反応によつてセンサーモーターは、作動してゼンマイを、巻き取る再びゼンマイは、薄いダイナモを、回し発電する。ソーラーパネルに、よつて補助電源そして、充電機能して、ダイナモを、回すゼンマイが、他のセンサーが、故障した場合超小型充電池センサーは、ダイナモセンサーが、故障した場合作動する。
どんな場所でも、どんな場合でも、充電池に電気を、供給　出来るシステム。
【０００５】
【発明の実施の形態】
発明の実施の形態を、図面を、参照して、説明する。
図１において自動充電池（１５）は、振り子装置（５）と、重り部分（２７）に、おいてスプリングゴム（２６）を、従えてステンレスゴム衝撃板（２５）その振り子作用に、よつて薄いダイナモ（２）は、同一方向回転に、よって発電されるその電力は、電池として使用され、余りは、充電式電池（１０）に充電池として電気を、貯える。この場合振り子回転軸（２９）は、片面滑り歯車（３０）採用している。そのため一方方向の、回転力に、なる。まだ電気不足のため、ゼンマイ（１）は、センサー（２１）の反応によつて小型センサーモーター（６）センサー（２２）に、よって、ゼンマイ（１）は、小型もーたー（６）に、よって自動巻き取りされる。そのためゼンマイ（１）の力作用のため薄いダイナモ（２）を、振り子（５）の作用方向と、同じく連動歯車（７）によってダイナモ（２）を、回転させて発電させる。まだ電気不足の、ため補助電力として、ソーラーパネル（１２）使用するそのため、日中は、充電し暗がりで、車のライトなどに、当てると、ゼンマイ（１）は、センサー超小型充電池（２３）一回分小型モーター（６）運動力に、基ずいて作動するただしセンサー（２１）が、正常に、作動しておれば、充電機能と、補助電力の役目を、する。
図の（１）充電式電池（１０）は、ダイナモ（２）より充電ソーラーパネル配線（９）に、よって充電される。充電池（１０）は、接続金具（２０）に、よって、自動充電池（１５）に、なる。
【０００６】
図２の説明において、ソーラーパネル接続金具（２８）に、よって取り付けられると、そーらーパネル（１２）から電力が、供給される。
この自動充電池（１５）は、取り外し可能な自動充電池である。
【０００７】
充電式電池（１０）と自動発電池（１５）は、接続金具（２０）に、よって取り付けられる。これを、自動充電式電池　別名自動充電池と言う。
本体電池供給金具（１１）に、よって電池が本体に、供給される。
【０００８】
図３の説明において自動充電池式携帯電話（３２）は、ソーラーパネル（１２）補助電源を、使用して、アンテナ（１７）液晶画面（１３）携帯電話スイッチ（１６）スイッチ関係これら使用の基にソーラーパネル（１２）補助電源とする
【０００９】
図４に示されてる自動充電池（１５）は、取り付け取り外し可能な、自動充電池である。取り外し可能な充電池（１０）と、接続されて、初めて自動充電池と、呼ぶのにふさわしい。　その他ストラップ取り付け口（１４）アンテナ（１７）自動充電池取り付け取り外しボタン（１８）から、つらなる。
自動充電池式形態電話（３２）である。
【００１０】
図５は、自動充電池の、拡大図である。
振り子部分は、アルミニューム（５）であり振り子軸（２９）は、片滑り歯車（３０）に、よって同一方向回転に、よって薄いダイナモ（２）を、回転させて発電する。
この場合鉄重り（２７）は、振り子の役目をする。固定ステンレスゴム（２５）は、振り子（５）の作用に、よってスプリングゴムの、振幅の、反動に、よって薄いダイナモ（２）は、その、回転力に、よって発電する。
振幅振り子軸の、説明とする。
【発明の効果】
この自動充電池が、世界中で、使用されれば、便利の良い自動充電池として使用され、海　山　へんぴな所でも、便利良く使用され、税金対策として、電池税で、世界中の、人々の、生活を、潤す。この場合日本では、市町村区税として考えたい。人々の、より良い生活は、そこから、始まる。
【図面の簡単な説明】
【図１】自動充電池の、内部構造説明図である。
【図２】自動充電池の、外部構造説明図の、携帯電話本体接地面図である。
【図３】携帯電話ソーラーパネル取り付け状態　略図
【図４】携帯電話自動充電池取り付け状態　略図
【図５】自動充電池振り子部分拡大　　略図
【符号の説明】
１　自動巻き取り機能付きゼンマイ
２　薄いダイナモ
３　連動歯車
４　片滑り振り子作動歯車
５　振り子アルミニュームすて部分（振り子装置）
６　センサー反応型小型モーター
７　センサー反応型小型モーター連動歯車
８　自動充電池配線
９　ソーラーパネル配線
１０　充電池
１１　外部機能電気伝達部分
１２　ソーラーパネル
１３　液晶画面
１４　ストラップ取り付け口
１５　自動充電池
１６　携帯電話スイッチ部分
１７　アンテナ
１８　自動充電池取り付け取り外しボタン
１９　連結歯車軸
２０　充電池取り付け金具
２１　ゼンマイ装置センサー
２２　小型巻き取りモーターセンサー
２３　ソーラーパネル超小型充電池センサー
２４　ダイナモ駆動確認センサー
２５　ステンレスゴム衝撃反発体
２６　振り子スプリングゴム
２７　振り子重り部分
２８　ソーラーパネル電気配線接続部分
２９　振り子軸
３０　振り子軸片滑り歯車
３１　ダテナモ充電池配線
３２　自動電池式携帯電話
【図１】
2004135480.tif 000003
【図２】
2004135480.tif 000004
【図３】
2004135480.tif 000005
【図４】
2004135480.tif 000006
【図５】
2004135480.tif 000007